(57)【特許請求の範囲】
【請求項１】
ユーザ装置（ＵＥ）から、隣接セルのアップリンクサブフレームによる干渉を受けているダウンリンクサブフレームであるクロスサブフレームのチャネル品質指標（ＣＱＩ）を受信するよう構成された受信部と、
少なくとも前記ＣＱＩに基づいて、前記ＵＥについてクロスサブフレームのスケジューリングを行うか否かを判定するよう構成された判定部と、
前記ＵＥについてスケジューリングを行うと判定した場合、前記クロスサブフレームのスケジューリングを行うよう構成されたスケジューリング部と、
互いに隣接するセル間でＵＰ−ＤＬ設定が異なることに起因して、クロスサブフレームの同一チャネル干渉（ＣＣＩ）が発生していることを検知すると、サブフレームがクロスサブフレームであるか否かを通知するとともに、前記ＵＥに対して前記クロスサブフレームの前記ＣＱＩを通知する旨の指示を行うよう構成された指示部と、を備える、
クロスサブフレームの同一チャネル干渉（ＣＣＩ）を除去するための装置。
【請求項２】
前記ＣＱＩを定期的に受信する、
請求項１に記載の装置。
【請求項３】
前記判定部は、更に、前記ＣＱＩが所定の閾値よりも大きい場合、前記ＵＥについてクロスサブフレームのスケジューリングを行うと判定するよう構成されている、
請求項１に記載の装置。
【請求項４】
前記スケジューリング部は、更に、以前に通知されたＣＱＩに基づいて、前記ＵＥについて前記ＣＱＩよりも遅れて受信した前記ＵＥのクロスサブフレームのスケジューリングを行うよう構成されている、
請求項１から請求項３のいずれか１項に記載の装置。
【請求項５】
ユーザ装置（ＵＥ）において、基地局から送られた指示により指定された、隣接セルのアップリンクサブフレームによる干渉を受けているダウンリンクサブフレームであるクロスサブフレームまたはＵＰ−ＤＬ設定が異なることに起因してクロスサブフレームとなり得るサブフレームのチャネル品質指標（ＣＱＩ）を計測する計測部と、
基地局へ前記ＣＱＩを通知するよう構成された通知部と、を備える、
クロスサブフレームの同一チャネル干渉（ＣＣＩ）を通知するための装置。
【請求項６】
前記ＣＱＩを定期的に計測する、
請求項５に記載の装置。
【請求項７】
前記基地局から前記クロスサブフレームの前記ＣＱＩを通知する旨の指示を受信するよう構成されている受信部を更に備える、
請求項５に記載の装置。
【請求項８】
ユーザ装置（ＵＥ）から、隣接セルのアップリンクサブフレームによる干渉を受けているダウンリンクサブフレームであるクロスサブフレームのチャネル品質指標（ＣＱＩ）を受信することと、
少なくとも前記ＣＱＩに基づいて、前記ＵＥについてクロスサブフレームのスケジューリングを行うべきか否かを判定することと、
前記ＵＥについてスケジューリングを行うと判定した場合、前記ＵＥについてクロスサブフレームのスケジューリングを行うことと、
互いに隣接するセル間でＵＰ−ＤＬ設定が異なることに起因して、クロスサブフレームの同一チャネル干渉（ＣＣＩ）が発生していることを検知すると、サブフレームがクロスサブフレームであるか否かを通知するとともに、前記ＵＥに対して前記クロスサブフレームの前記ＣＱＩを通知する旨の指示を行ことと、を含む、
クロスサブフレームの同一チャネル干渉（ＣＣＩ）を除去するための方法。
【請求項９】
ユーザ装置（ＵＥ）において、基地局から送られた指示により指定された、隣接セルのアップリンクサブフレームによる干渉を受けているダウンリンクサブフレームであるクロスサブフレームまたはＵＰ−ＤＬ設定が異なることに起因してクロスサブフレームとなり得るサブフレームのチャネル品質指標（ＣＱＩ）を計測することと、
前記ＣＱＩを基地局へ通知することと、を含む、
クロスサブフレームの同一チャネル干渉（ＣＣＩ）を通知するための方法。
【発明の詳細な説明】
【技術分野】
【０００１】
本発明の実施形態は、概して通信技術に関し、特に、クロスサブフレームの同一チャネル干渉（ＣＣＩ）を通知および除去するための方法および装置に関する。
【背景技術】
【０００２】
３ＧＰＰ  ＬＴＥおよびＬＴＥ−Ａｄｖａｎｃｅｄは、ＧＳＭ（登録商標）／ＨＳＰＡ技術において大成功を納めた発展規格として知られており、新たに発展しつつある無線アクセス技術の仕様の新シリーズの作成を目的としたものである。この目的の１つは、スループットの向上のように通信システムの性能を改善していくことにある。ＬＴＥでは、ユーザから基地局への送信と基地局からユーザへの送信とを分離する方式として、周波数分割複信（ＦＤＤ）と時分割複信（ＴＤＤ）の２つの異なる複信方式を採用している。ＴＤＤ複信方式では、１つの帯域が、アップリンク（ＵＬ）とダウンリンク（ＤＬ）とで共用され、アップリンクとダウンリンクとで、当該帯域が割り当てられる期間が異なっている。ＬＴＥ  ＴＤＤシステムにおいて、アップリンクとダウンリンクとを切り替えるパターンとして７つの異なるパターンがあり、アップリンク−ダウンリンク設定０〜６と呼ばれている。ＬＴＥ  ＴＤＤシステムでは、この７つの異なるアップリンク−ダウンリンク設定により非対称なＵＬ−ＤＬ割り当てが可能となっている。一般的に、ＬＴＥ−ＴＤＤシステムでは、セルに対してアップリンク−ダウンリンク設定を静的または半静的に割り当てる。図１に示すように、ＬＴＥ  ＴＤＤシステムにより互いに隣接するセルが配置された後では、当該セルの全てについて同一のアップリンク−ダウンリンク設定０がなされている。この設定は、稼働中において変更されない（静的割り当て）か、或いは、数年稼働した後に変更される（半静的割り当て）ものである。
【０００３】
この静的な割り当てや半静的な割り当ては、一時的に生じる通信トラフィックに対する条件としては不適当な場合がある。したがって、ＬＴＥ  ＴＤＤシステムでは、ＵＬまたはＤＬに対してサブフレームを動的に割り当てる等のメカニズムを更に追加する必要がある。セルにおけるＵＰ−ＤＬ設定を動的に配置する場合、当該配置はおそらく１０ミリ秒毎或いは６４０ミリ秒毎に変更されることになる。図２に示すように、ある一瞬では、セル０がＵＰ−ＤＬ設定４に設定され、セル０に隣接する各セルがＵＰ−ＤＬ設定０に設定されているように配置されうる。しかしながら、ＴＤＤシステムにおける隣接セル同士でのＵＰ−ＤＬ設定の違いは、クロスサブフレームの同一チャネル干渉を引き起こす虞がある。ここで、クロスサブフレームとは、隣接するセルのアップリンクサブフレームにより干渉を受けるダウンリンクサブフレームのことである。このクロスサブフレームの同一チャネル干渉（ＣＣＩ）とは、対象セルのＤＬサブフレームが、同一チャネル内において、隣接セルのＵＬサブフレームによる干渉を受けることである。これは、例えば、ＵＥ−ＵＥクロスサブフレーム同一チャネル干渉と呼ばれるものである。図３に示すように、セル０内に位置するＵＥ０が、ＵＰ−ＤＬ設定５を使用し、隣接するセル１内におけるＵＥ０の近くに位置するＵＥ１は、ＵＰ−ＤＬ設定６を使用するように設定されている。この場合、同一チャネルにおいて、ＵＥ０が使用する設定５のサブフレーム４がダウンリンクデータを送るのに対し、ＵＥ１が使用する設定６のサブフレーム４がアップリンクデータを送る。したがって、サブフレーム４について、ＵＥ０がＵＥ１からの干渉を受けることになる。
【０００４】
ＬＴＥ  ＴＤＤシステムにおいて動的な再構成を行う場合、ＣＣＩの除去（ＣＣＩＣ）を効果的に行う方法を採用することが重要である。ＣＣＩＣ方法の１つとして、ＵＥと基地局との間の距離に応じてＵＥについてスケジューリングを行う方法がある。図４に示すように、基地局は当該基地局までの距離が予め設定された距離よりも大きいＵＥについてはスケジューリングを行わない。これは、このようなＵＥが隣接するセルの近くに位置し、異なるＵＰ−ＤＬ設定を使用する近くの他のＵＥからＣＣＩを受ける可能性が高いからである。
【０００５】
しかしながら、実際には、ＵＥと基地局との間の物理的な距離を測定することは困難である。また、この物理的な距離は、ＵＥから受ける干渉を十分明確に示すものではない。例えば、他のＵＥが近くに存在しない、または近くに異なるＵＰ−ＤＬ設定を使用する他のＵＥが存在してもＣＣＩが問題にならない場合、ＵＥは、基地局から離れていてもＣＣＩの影響を受けないかもしれない。
【発明の概要】
【発明が解決しようとする課題】
【０００６】
上記の問題に鑑みれば、距離に基づくＵＥ−ＵＥ  ＣＣＩＣは、改善する必要がある。そこで、本発明は、ＵＥから通知される実際の干渉状況を考慮して、リソースの使用スケジュールを決定するＣＣＩＣ手法を提供する。
【課題を解決するための手段】
【０００７】
本発明の第１の観点からすれば、本発明の実施形態は、
ユーザ装置（ＵＥ）から、隣接セルのアップリンクサブフレームによる干渉を受けているダウンリンクサブフレームであるクロスサブフレームのチャネル品質指標（ＣＱＩ）を受信することと、
少なくとも前記ＣＱＩに基づいて、前記ＵＥについてクロスサブフレームのスケジューリングを行うべきか否かを判定することと、
前記ＵＥについてスケジューリングを行うと判定した場合、前記ＵＥについてクロスサブフレームのスケジューリングを行うことと、
互いに隣接するセル間でＵＰ−ＤＬ設定が異なることに起因して、クロスサブフレームの同一チャネル干渉（ＣＣＩ）が発生していることを検知すると、サブフレームがクロスサブフレームであるか否かを通知するとともに、前記ＵＥに対して前記クロスサブフレームの前記ＣＱＩを通知する旨の指示を行ことと、を含む、
クロスサブフレームの同一チャネル干渉（ＣＣＩ）を除去するための方法を提供する。
【０００８】
本発明の第２の観点からすれば、本発明の実施形態は、
ユーザ装置（ＵＥ）において、基地局から送られた指示により指定された、隣接セルのアップリンクサブフレームによる干渉を受けているダウンリンクサブフレームであるクロスサブフレームまたはＵＰ−ＤＬ設定が異なることに起因してクロスサブフレームとなり得るサブフレームのチャネル品質指標（ＣＱＩ）を計測することと、
前記ＣＱＩを基地局へ通知することと、を含む、
クロスサブフレームの同一チャネル干渉（ＣＣＩ）を通知するための方法を提供する。
【０００９】
本発明の第３の観点からすれば、本発明の実施形態は、
ユーザ装置（ＵＥ）から、隣接セルのアップリンクサブフレームによる干渉を受けているダウンリンクサブフレームであるクロスサブフレームのチャネル品質指標（ＣＱＩ）を受信するよう構成された受信部と、
少なくとも前記ＣＱＩに基づいて、前記ＵＥについてクロスサブフレームのスケジューリングを行うか否かを判定するよう構成された判定部と、
前記ＵＥについてスケジューリングを行うと判定した場合、前記クロスサブフレームのスケジューリングを行うよう構成されたスケジューリング部と、
互いに隣接するセル間でＵＰ−ＤＬ設定が異なることに起因して、クロスサブフレームの同一チャネル干渉（ＣＣＩ）が発生していることを検知すると、サブフレームがクロスサブフレームであるか否かを通知するとともに、前記ＵＥに対して前記クロスサブフレームの前記ＣＱＩを通知する旨の指示を行うよう構成された指示部と、を備える、
クロスサブフレームの同一チャネル干渉（ＣＣＩ）を除去するための装置を提供する。
【００１０】
本発明の第４の観点からすれば、本発明の実施形態は、
ユーザ装置（ＵＥ）において、基地局から送られた指示により指定された、隣接セルのアップリンクサブフレームによる干渉を受けているダウンリンクサブフレームであるクロスサブフレームまたはＵＰ−ＤＬ設定が異なることに起因してクロスサブフレームとなり得るサブフレームのチャネル品質指標（ＣＱＩ）を計測する計測部と、
基地局へ前記ＣＱＩを通知するよう構成された通知部と、を備える、
クロスサブフレームの同一チャネル干渉（ＣＣＩ）を通知するための装置を提供する。
【発明の効果】
【００１１】
本発明によれば、以下に示す利点が期待できる。
ＵＥがクロスサブフレームのＣＱＩを計測して通知することにより、基地局は、クロスサブフレームにおける干渉が無視できない程度のものであるか否か、および通知されたＣＱＩに基づきクロスサブフレームについてリソースのスケジューリングを行うか否かをより正確に判定することができる。本発明によれば、ＣＣＩの存在しないＵＥについてリソースの使用スケジュールの策定を行うことにより、ＣＣＩが除去されるとともにリソースの総使用率を増大させることができる。
【００１２】
また、本発明に係る他の特徴や利点は、以下に示す実施形態の説明を、本発明に係る実施形態を例示する添付図面を参照しつつ読めば明らかになる。
【００１３】
本発明の実施形態は例示的な位置づけであり、これらの利点については、以下の図面とともに以下の実施形態で詳細に説明する。
【図面の簡単な説明】
【００１４】
【図１】ＬＴＥ  ＴＤＤシステムにおけるセルの静的或いは半静的なＵＰ−ＤＬ設定の概要図である。
【図２】ＬＴＥ  ＴＤＤシステムにおけるセルの動的なＵＰ−ＤＬ設定の概要図である。
【図３】隣接する２つのＵＥが異なるＵＰ−ＤＬ設定を使用することにより生じるＣＣＩの概要図である。
【図４】物理的な距離に基づきスケジューリングを行うＣＣＩＣの概要図である。
【図５】本発明の実施形態に係るクロスサブフレームの同一チャネル干渉を除去するための方法を示すフローチャートである。
【図６】本発明の実施形態に係るクロスサブフレームの同一チャネル干渉を通知するための方法を示すフローチャートである。
【図７】本発明の実施形態に係るクロスサブフレームの同一チャネル干渉を除去するための装置のブロック図である。
【図８】本発明の実施形態に係るクロスサブフレームの同一チャネル干渉を通知するための装置のブロック図である。
【発明を実施するための形態】
【００１５】
本発明に係る種々の実施形態について、図面を参照しながら詳細に説明する。各図におけるフローチャートおよびブロック図は、本発明の実施形態に係る装置および方法、並びに、本発明の実施形態に係る、コンピュータプログラムにより動作する製品により実現可能なアーキテクチャ、機能および動作を示す。この点に関して、フローチャートまたはブロック図内における各ブロックは、モジュールやプログラム、コードの一部を表すものであり、特定の論理的機能を実現するための１以上の実行可能な命令を含むものである。いくつかの変形例では、ブロックで示す機能が図に示す順序とは異なる順序で実行されることに留意すべきである。例えば、連続する形で図示されている２つのブロックが、実際には、関連する機能に応じて、実質的に並行して実行されたり、逆の順序で実行されたりしてもよい。また、上記ブロック図および／または、上記フローチャートおよびこれらの組み合わせにおける各ブロックは、特定の機能や動作を実行する専用のハードウェアシステムにより実行されたり、専用のハードウェアとコンピュータの命令とが協働することにより実行されたりしてもよいことに留意すべきである。
【００１６】
本開示において、ユーザ装置（ＵＥ）には、端末や移動端末（ＭＴ）、加入者局（ＳＳ）、携帯加入者局（ＰＳＳ）、移動局（ＭＳ）、アクセス端末（ＡＴ）が当てはまる。そして、ＵＥは、端末やＭＴ、ＳＳ、ＰＳＳ、ＭＳ、ＡＴの機能のうちのいくらかまたは全部を備えていてもよい。
【００１７】
本開示において、基地局（ＢＳ）には、ノードＢ（ＮｏｄｅＢまたはＮＢ）または発展型ノードＢ（ｅＮｏｄｅＢまたはｅＮＢ）が当てはまる。基地局は、マクロセルＢＳまたは小セルＢＳであってもよい。本発明によれば、マクロセルＢＳは、例えばマクロｅＮＢのようなマクロセルを管理する基地局であってもよく、小セルＢＳは、例えばピコｅＮＢやフェムトｅＮＢ、その他低電力に適したノードのような小セルを管理する基地局であってもよい。
【００１８】
図５は、本発明の実施形態に係るクロスフレームの同一チャネル干渉を除去する方法のフローチャートを示す。図５に示す方法では、データの伝送要求に応じて、互いに異なるＵＰ−ＤＬ設定が動的に設定される基地局において実行される。
【００１９】
本分野における当業者であれば容易に理解できることであるが、基地局は、隣接セルと通信接続することにより、隣接セルのＵＰ−ＤＬ設定を取得することができる。例えば、隣接する基地局同士は、光ファイバにより接続されていてもよいし、一方の基地局の基地局制御部が他方の基地局を制御するものであってもよい。したがって、セルの動的なＵＰ−ＤＬ設定は、隣接セルと通信接続することにより当該隣接セルへ通知したり、基地局制御部により当該隣接セルへ通知したりすることができる。基地局が、隣接セルからＵＰ−ＤＬ設定を受信すると、当該隣接セルのＵＰ−ＤＬ設定と自局のＵＰ−ＤＬ設定とを比較する。そして、サブフレームについて、隣接セルのＵＰ−ＤＬ設定が自局のＵＰ−ＤＬ設定と異なる場合、基地局は、サブフレームがクロスサブフレームであるか否かおよび当該クロスサブフレームについてＣＣＩが発生しているか否かを判定する。基地局は、隣接セルが異なる設定であることによりＣＣＩが発生していることを検出すると、ＣＣＩを除去する方法を開始する。
【００２０】
ステップＳ５１０において、基地局は、自局のセル内のＵＥに対して、クロスサブフレームのチャネル品質指標（ＣＱＩ）を通知するように指示する。一実施形態では、基地局は、クロスサブフレームが検出されると、ＵＥに対してクロスサブフレームのＣＱＩを通知するように指示する。他の一実施形態では、ＵＥが基地局からの指示によらずに定期的に、異なるＵＰ−ＤＬ設定のクロスサブフレームとなり得るサブフレームのＣＱＩを、基地局に通知するので、このステップは省略できる。例えば、サブフレーム０および５が、全てのＵＰ−ＤＬ設定においてダウンロードのみに使用されるので、クロスサブフレームにはならない。そして、ＵＥは、サブフレーム０および５以外の他のサブフレームのＣＱＩを基地局に通知し、基地局は、ＵＥが通知したＣＱＩを受信した後、ＣＱＩの通知時における、隣接する基地局のＵＰ−ＤＬ設定に基づいて、当該ＣＱＩが通知されたサブフレームがクロスサブフレームであるか否かを判定する。
【００２１】
ステップＳ５２０において、基地局は、ＵＥからクロスサブフレームのＣＱＩを受信する。一実施形態では、上述したように、クロスサブフレームが検出されると、基地局がＵＥに対してクロスサブフレームのＣＱＩを通知する旨の指示を送る。次に、基地局はＵＥからのＣＱＩのフィードバックを待つ。ここで、ＵＥはＰＵＣＣＨ（定期的通知）またはＰＵＳＣＨ（非定期的通知）を通じてＣＱＩを基地局に通知することが知られている。したがって、上記ＣＱＩは、基地局により定期的または非定期的に受信される。また、上述のように、ＵＥは、ＵＬ−ＤＬ設定が異なることによりクロスサブフレームとなり得るサブフレームのＣＱＩを定期的に通知することができる。基地局は、ＣＱＩの通知時における、隣接する基地局のＵＰ−ＤＬ設定に基づいて、クロスサブフレームのＣＱＩを決定する。
【００２２】
ステップＳ５３０において、基地局はＵＥについて少なくともＣＱＩに基づきクロスサブフレームについてスケジューリングを行うか否かを判定する。一実施形態では、クロスサブフレームのＣＱＩを閾値と比較する。ＣＱＩが当該閾値未満であれば、ＵＥが、クロスサブフレームについて他のＵＥから干渉を受けていることになる。従来技術では、ＣＣＩはＵＥと基地局との間の物理的な距離により判定されていた。しかしながら、上述したように、物理的な距離はＣＣＩを判定するための決定的な要素ではない。本発明では、ＵＥにおいて、クロスサブフレームの干渉を実際に計測してそれを通知する。ＣＱＩにより示される実際の干渉を用いれば、ＵＥと基地局との間の物理的な距離を用いた場合に比べてＣＣＩの判定がより正確になる。
【００２３】
本発明の実施形態では、リソースのスケジューリングを行うか否かを判定するためにＣＱＩが用いられるが、ＵＥでの干渉を示す他の指標を用いてもよい。例えば、本発明の実施形態に係るリソースのスケジューリングを行うか否かの判定には、信号の干渉ノイズに対する比率（ＳＩＮＲ）を用いることができる。そして、ＳＩＮＲは、通知されたＣＱＩから導出することができる。
【００２４】
一実施形態では、閾値が、経験則やシミュレーションモデル、干渉モデルに基づいて予め決定されていてもよい。
【００２５】
ステップＳ５４０において、ＵＥについてスケジューリングすると判定した場合、基地局は当該ＵＥについてクロスサブフレームのスケジューリングを行う。ここで、ＵＥがＣＣＩを受けていないと判定されると、基地局はＵＥについてスケジューリングを行う。一方、通知されたＣＱＩのようにＵＥがＣＣＩを受けている場合、当該ＵＥについてスケジューリングを行わず、ＣＣＩを受けていない他のＵＥについてリソースのスケジューリングを行う。本発明によれば、ＣＣＩを受けていないＵＥについてリソースの使用スケジュールの策定を行うことにより、ＣＣＩが除去されるとともにリソースの総使用率が増加する。
【００２６】
一実施形態では、クロスサブフレームのＣＱＩが、ネットワーク通信による遅延やＣＱＩ通知メカニズムに起因して、当該クロスサブフレームよりも遅れて受信される。ここにおいて、あるクロスサブフレームについて計測されたＣＱＩは、当該クロスサブフレームよりも遅れて受信されたクロスサブフレームについてスケジューリングを行うか否かを判定するのに用いられる。更に他の実施形態では、クロスサブフレームのＣＱＩが定期的にまたは非定期的に複数受信される場合、直近のＣＱＩを、当該ＣＱＩよりも遅れて受信されたクロスサブフレームについてスケジューリングを行うか否かを判定するのに用いられる。
【００２７】
図６は、本発明の実施形態に係るクロスサブフレームの同一チャネル干渉を通知する方法のフローチャートを示す。図６に示す方法は、ＵＥが、隣接セル内において異なるＵＰ−ＤＬ設定を使用するＵＥが近くに存在しておりこれによる干渉を受けている場合に実行する。
【００２８】
ステップＳ６１０において、ＵＥは基地局からクロスサブフレームのＣＱＩを通知する旨の指示を受ける。一実施形態では、上述のように、基地局が、互いに隣接するセル間でＵＰ−ＤＬ設定が異なることに起因して、ＣＣＩが発生していることを検知すると、当該基地局は、サブフレームがクロスサブフレームであるか否かを通知するとともに、ＵＥに対して当該クロスサブフレームのＣＱＩを通知する旨の指示を行う。他の実施形態では、上述したように、ＵＥが基地局からの指示を受けなくとも、クロスサブフレームとなり得るサブフレームのＣＱＩを定期的に通知するので、このステップを実行しなくてもよい。
【００２９】
ステップＳ６２０において、ＵＥは、クロスフレームのチャネル品質指標を計測する。上述したように、このクロスサブフレームは、基地局から送られた指示により指定されたクロスサブフレーム、またはＵＰ−ＤＬ設定が異なることに起因してクロスサブフレームとなり得るサブフレームである。
【００３０】
ステップＳ６３０において、ＵＥは基地局に対して、計測したクロスサブフレームのＣＱＩを通知する。これにより、基地局は、通知されたＣＱＩに基づいて、ＵＥについてクロスサブフレームのスケジューリングを行うべきか否かを判定することができる。
【００３１】
図７は、本発明の実施形態に係るクロスサブフレームの同一チャネル干渉を除去する装置７００のブロック図である。この装置は基地局で使用することができる。
【００３２】
本実施形態では、装置７００が、受信部７２０と、判定部７３０と、スケジューリング部７４０と、を備える。受信部７２０は、ユーザ装置（ＵＥ）からクロスサブフレームのチャネル品質指標（ＣＱＩ）を受信するよう構成されている。ここで、クロスサブフレームとは、隣接セルのアップリンクサブフレームによる干渉を受けているダウンリンクサブフレームである。判定部７３０は、少なくともＣＱＩに基づいて、ＵＥについてクロスサブフレームのスケジューリングを行うか否かを判定するよう構成されている。スケジューリング部７４０は、ＵＥについてスケジューリングを行うと判定した場合、当該ＵＥについてクロスサブフレームのスケジューリングを行うよう構成されている。
【００３３】
他の実施形態では、装置７００が指示部７１０を適宜備えていてもよい。指示部７１０は、ＵＥに対してクロスサブフレームのＣＱＩを通知する旨を指示するよう構成されていてもよい。
【００３４】
本発明に係る更に他の実施形態では、判定部７３０が、更に、ＣＱＩが閾値よりも高い場合、ＵＥについてクロスサブフレームのスケジューリングを行うべきか否かを判定するよう構成されていてもよい。
【００３５】
本発明に係る更に他の実施形態では、スケジューリング部７４０が、更に、ＵＥについて、以前に通知されたＣＱＩに基づいて当該ＣＱＩよりも遅れて受信した当該ＵＥのクロスサブフレームのスケジューリングを行うよう構成されていてもよい。
【００３６】
図８は、本発明の実施形態に係るクロスサブフレームの同一チャネル干渉を通知するよう構成された装置８００のブロック図を示す。この装置は、ＵＥで使用することができる。
【００３７】
本実施形態では、装置８００が、計測部８２０と、通知部８３０と、を備える。計測部８２０は、ユーザ装置において、クロスサブフレームのチャネル品質指標を計測するよう構成されている。通知部８３０は、基地局に対してＣＱＩを通知するよう構成されている。
【００３８】
本発明に係る更に他の実施形態では、装置８００が、基地局からクロスサブフレームのＣＱＩを通知する旨の指示を受信するよう構成された受信部８１０を適宜備えていてもよい。この指示では、サブフレームがクロスサブフレームであるか否か、およびＣＱＩを計測して通知すべきか否かについて示されている。
【００３９】
この分野における当業者には、上述の説明から、本発明が、装置や方法、コンピュータプログラム製品において実現できることが明らかであろう。例示した種々の実施形態は、一般的に、ハードウェアや専用回路、ソフトウェア、論理回路、これらの組合せにより実現することができる。例えば、いくつかの実施形態は、ハードウェアにおいて実現することができ、他の実施形態は、ファームウェア、或いは、制御装置、マイクロプロセッサまたは他の情報処理装置により実行可能なソフトウェアにおいて実現することができる。但し、本発明はこれらに限定されるものではない。本明細書に例示した種々の実施形態は、ブロック図やフローチャート、その他の種類の図により示されているが、当然ながら、本願明細書で説明したブロックや装置、システム、技術、方法は、例えば、ハードウェア、ソフトウェア、ファームウェア、専用回路、論理回路、汎用ハードウェア、制御装置または他の情報処理装置、或いは、これらを組み合わせたものにおいて実現可能である。
【００４０】
図５および図６に示すように、種々のブロックは、方法を構成するステップおよび／またはコンピュータプログラムコードに沿って動作することにより得られる処理、および／または関連する機能を実行するよう構成された複数の論理回路要素の組み合わせとして表されている。本開示の例示された実施形態の少なくともいくつかの観点は、集積回路チップやモジュールのような種々の要素において実現される。本開示の例示された実施形態は、装置おいて実現されてもよいし、本開示の例示された実施形態に従って動作するよう構成されたＦＰＧＡやＡＳＩＣ等の集積回路として具現化されていてもよい。
【００４１】
この明細書では、多くの実施態様の詳細が記載されているが、開示する発明の範囲、特許請求の範囲は、これらの実施態様に限定して解釈されるべきではない。明細書では、開示する発明の範囲の中の特定の発明の特定の実施形態に関する特徴が記述されているに過ぎないと解釈されるべきである。本明細書に別の実施形態として記載されている所定の特徴は、各実施形態を組み合わせて実現することが可能である。また、逆に、１つの実施形態に記載されている種々の特徴は、複数の実施形態で別個に実現したり、或いは適宜部分的に組み合わせて実現したりすることができる。更に、上述では各特徴が所定の組み合わせにおいて実現できるように説明され、特許請求の範囲でもそのように記載されているが、特許請求の範囲に記載された組み合わせから得られる１以上の特徴は場合によっては削除してもよい。また、特許請求の範囲に係る組み合わせとして、部分的な組み合わせや当該部分的な組み合わせの変形例を採用することができる。
【００４２】
同様に、図では動作が特定の順序でなされるように示されているが、所望の結果を得るためには、図示されている特定の順序で順番に実行したり、或いは、図示されている全ての処理を実行したりする必要があると解釈すべきではない。所定の環境においてはマルチタスク処理や並行処理を行うほうがよい。更に、上述の実施形態では、種々のシステム要素が分離されているが、全ての実施形態において、このようにシステム要素を分離することが必要であると解釈すべきではない。また、開示されているプログラム要素やシステムは、１つのソフトウェア製品に統合したり、複合ソフトウェア製品として１つにまとめることができると解釈すべきである。
【００４３】
関連技術分野における当業者にとっては、添付図面および上述の説明から、本開示の前記例示された実施形態に種々の修正や改変がなされたものも明らかである。任意の修正例や全ての修正例は本開示の例示された非制限的な実施形態の範囲内である。更に、本開示の実施形態の分野において上述の説明およびこれに関連する図面の示唆する利益を得る当業者であれば、本明細書に記載された他の実施形態を想到できるものと解する。
【００４４】
したがって、本開示の実施形態は、具体例に限定されるものではなく、請求項を追加することにより、修正例や他の実施形態が当該請求項の範囲内に含まれることが意図されていると解釈すべきである。本明細書で使用されている用語は一般的且つ記述的な意味で使用されるものであり限定する目的で使用されるものではない。
【００４５】
（付記１）
ユーザ装置（ＵＥ）から、隣接セルのアップリンクサブフレームによる干渉を受けているダウンリンクサブフレームであるクロスサブフレームのチャネル品質指標（ＣＱＩ）を受信することと、
少なくとも前記ＣＱＩに基づいて、前記ＵＥについてクロスサブフレームのスケジューリングを行うべきか否かを判定することと、
前記ＵＥについてスケジューリングを行うと判定した場合、前記ＵＥについてクロスサブフレームのスケジューリングを行うことと、を含む、
クロスサブフレームの同一チャネル干渉（ＣＣＩ）を除去するための方法。
【００４６】
（付記２）
前記ＣＱＩを定期的に受信する、
付記１に記載の方法。
【００４７】
（付記３）
前記ＵＥに対して前記クロスサブフレームの前記ＣＱＩを通知する旨の指示を行うこと、を更に含む、
付記１に記載の方法。
【００４８】
（付記４）
前記判定するステップは、更に、前記ＣＱＩが所定の閾値よりも高い場合に前記ＵＥについてクロスサブフレームのスケジューリングを行うと判定すること、を含む、
付記１に記載の方法。
【００４９】
（付記５）
前記スケジューリングを行うステップは、更に、以前に通知されたＣＱＩに基づいて前記ＵＥについて前記ＣＱＩよりも遅れて受信したクロスサブフレームのスケジューリングを行うこと、を含む、
付記１から付記４のいずれか１つに記載の方法。
【００５０】
（付記６）
ユーザ装置（ＵＥ）において、隣接セルのアップリンクサブフレームによる干渉を受けているダウンリンクサブフレームであるクロスサブフレームのチャネル品質指標（ＣＱＩ）を計測することと、
前記ＣＱＩを基地局へ通知することと、を含む、
クロスサブフレームの同一チャネル干渉（ＣＣＩ）を通知するための方法。
【００５１】
（付記７）
前記ＣＱＩを定期的に計測する、
付記６に記載の方法。
【００５２】
（付記８）
前記基地局から前記クロスサブフレームの前記ＣＱＩを通知する旨の指示を受信すること、を更に含む、
付記６に記載の方法。
【００５３】
（付記９）
ユーザ装置（ＵＥ）から、隣接セルのアップリンクサブフレームによる干渉を受けているダウンリンクサブフレームであるクロスサブフレームのチャネル品質指標（ＣＱＩ）を受信するよう構成された受信部と、
少なくとも前記ＣＱＩに基づいて、前記ＵＥについてクロスサブフレームのスケジューリングを行うか否かを判定するよう構成された判定部と、
前記ＵＥについてスケジューリングを行うと判定した場合、前記クロスサブフレームのスケジューリングを行うよう構成されたスケジューリング部と、を備える、
クロスサブフレームの同一チャネル干渉（ＣＣＩ）を除去するための装置。
【００５４】
（付記１０）
前記ＣＱＩを定期的に受信する、
付記９に記載の装置。
【００５５】
（付記１１）
前記ＵＥに対して前記クロスサブフレームの前記ＣＱＩを通知する旨の指示を行うよう構成された指示部を更に備える、
付記９に記載の装置。
【００５６】
（付記１２）
前記判定部は、更に、前記ＣＱＩが所定の閾値よりも大きい場合、前記ＵＥについてクロスサブフレームのスケジューリングを行うと判定するよう構成されている、
付記９に記載の装置。
【００５７】
（付記１３）
前記スケジューリング部は、更に、以前に通知されたＣＱＩに基づいて、前記ＵＥについて前記ＣＱＩよりも遅れて受信した前記ＵＥのクロスサブフレームのスケジューリングを行うよう構成されている、
付記９から付記１２のいずれかに記載の装置。
【００５８】
（付記１４）
ユーザ装置（ＵＥ）において、隣接セルのアップリンクサブフレームによる干渉を受けているダウンリンクサブフレームであるクロスサブフレームのチャネル品質指標（ＣＱＩ）を計測する計測部と、
基地局へ前記ＣＱＩを通知するよう構成された通知部と、を備える、
クロスサブフレームの同一チャネル干渉（ＣＣＩ）を通知するための装置。
【００５９】
（付記１５）
前記ＣＱＩを定期的に計測する、
付記１４に記載の装置。
【００６０】
（付記１６）
前記受信部は、更に、前記基地局から前記クロスサブフレームの前記ＣＱＩを通知する旨の指示を受信するよう構成されている、
付記１４に記載の装置。
【図１】
0005840305.tif 000002
【図２】
0005840305.tif 000003
【図３】
0005840305.tif 000004
【図４】
0005840305.tif 000005
【図５】
0005840305.tif 000006
【図６】
0005840305.tif 000007
【図７】
0005840305.tif 000008
【図８】
0005840305.tif 000009